(57)【要約】  本発明は、液体製品または粘性製品用の容器（１）であって、直径Ｄ１を有する略卵形または球形の容器本体（２）と、直径Ｄ２を有する首部（３）とを備え、前記首部が、分与用開口と、閉塞手段を分与用開口に対して取り付けることができるようにするための手段とを備え、Ｄ１がＤ２よりも大きく、前記容器（１）が半結晶ＰＥＴから形成され、前記容器本体（２）の壁１０が前記容器の少なくとも中間の高さの領域で１００μｍ以下の厚さを有している容器に関する。本発明の非常に好ましい実施形態において、容器本体は、少なくとも２つの対向する平坦で略垂直な面（８）と、首部と反対側に配置される平坦な略水平の底面を形成する面（９）とを備えている。【選択図】  図１
2009512599.tif 000002
【特許請求の範囲】
【請求項１】
液体製品用または粘性製品用の容器であって、
直径Ｄ１を有する略卵形または球形の容器本体と、直径Ｄ２を有する首部とを備え、
前記首部が、分与用開口と、閉塞手段を前記分与用開口に対して取り付けることを可能とする手段とを備え、
前記直径Ｄ１が前記直径Ｄ２よりも大きく、前記容器が半結晶ＰＥＴから形成され、
前記容器本体の壁が前記容器の少なくとも中間の高さの領域で１００μｍ以下の厚さを有している、前記容器において、
前記容器本体が少なくとも２つの平坦な面或いはエンボス面を備えていることを特徴とする、容器。
【請求項２】
前記容器本体が、少なくとも２つの対向する平坦で略垂直な面と、平坦な略水平の底面を形成する面とを備えている、請求項１に記載の容器。
【請求項３】
前記首部が前記水平な底面の反対側に対称に配置されている、請求項２に記載の容器。
【請求項４】
前記首部が前記容器の垂直軸に対してずれて配置されている、請求項３に記載の容器。
【請求項５】
前記容器本体が、対を成して互いに対向する４つの平坦な略垂直な面を備えている、請求項２〜４のいずれか一項に記載の容器。
【請求項６】
前記平坦な垂直面がディスク状である、請求項２〜５のいずれか一項に記載の容器。
【請求項７】
隣り合う前記平坦な垂直面が少なくとも１つの点で互いに接触している、請求項２〜６のいずれか一項に記載の容器。
【請求項８】
前記平坦な垂直面が前記平坦な底面と接触する、請求項２〜７のいずれか一項に記載の容器。
【請求項９】
前記平坦な垂直面と前記平坦な水平面とが同じ面積を有している、請求項２〜８のいずれか一項に記載の容器。
【請求項１０】
前記直径Ｄ１／前記直径Ｄ２の比率が１．２〜１５、好ましくは２〜５である、請求項１〜９のいずれか一項に記載の容器。
【請求項１１】
前記平坦な底面が補強リブおよび／または補強溝を備えている、請求項１〜１０のいずれか一項に記載の容器。
【請求項１２】
前記製品が水性製品または乳製品から構成されるグループから選択される、請求項１〜１１のいずれか一項に記載の容器。
【請求項１３】
５ｇ以下、好ましくは３ｇ以下の重量と、少なくとも２５ｃｌの全内容量とを有している、請求項１〜１２のいずれか一項に記載の容器。
【発明の詳細な説明】
【技術分野】
【０００１】
本発明は、飲料用の非常に軽量な容器に関する。
【背景技術】
【０００２】
良好な透明性および良好なプロセス可能特性のために例えば半結晶ポリエチレンテレフタレート（ＰＥＴ）から形成される飲料用の非常に軽量な容器は当分野で公知である。そのような容器は、一般に、射出された予備成形体からブロー成形される。
【０００３】
そのような非常に軽量な容器は、容器本体の少なくとも中間の高さの領域で１００μｍ以下の壁厚を有することができる。そのような容器は、「伝統的な」プロセスから形成される同様の内容量の容器と比べて、かなり少量のプラスチック材料を用いて製造されるように開発されてきた。したがって、これらの軽量な容器は、より安価に製造され、特に環境に優しくもある。
【０００４】
例えば国際特許出願ＷＯ０３／０３３３６１Ａ１またはＷＯ２００５／０４７１２０Ａ１に記載されたそのような従来技術の非常に軽量な容器は、容積／重量の良好な比率を与える略卵形状または球形状であることで知られている。
【０００５】
しかしながら、そのような容器は幾つかの欠点を備えている。すなわち、それらの容器は、ラベルを付けるのが困難であり、保管して運搬のためにパレット状に積み重ねることが困難である。
【０００６】
より重要なことには、略卵形状に起因して、そのような容器の本体の側面は非常に柔らかく、容器が開放されると直ぐ、消費者が前記容器の側面を把持する際に、内容物が外側に飛び散る危険が存在する。内容物が乳製品である場合、そのような飛び散りは特に消費者にとって都合が悪い。
【発明の開示】
【発明が解決しようとする課題】
【０００７】
したがって、前述した問題点を解決する非常に軽量な容器が求められている。
【課題を解決するための手段】
【０００８】
本発明は、液体製品または粘性製品用の容器であって、直径Ｄ１を有する略卵形または球形の容器本体と、直径Ｄ２を有する首部とを備え、前記首部が、分与用開口と、閉塞手段を前記分与用開口に対して取り付けることができるようにするための手段とを備え、Ｄ１がＤ２よりも大きく、前記容器が半結晶ＰＥＴから形成され、前記容器本体の壁が前記容器の少なくとも中間の高さの領域で１００μｍ以下の厚さを有している容器を用いて前述した問題に対処する。
【０００９】
本発明によれば、前記容器は、前記容器本体が少なくとも２つの平坦な面或いはエンボス面を備えていることを特徴とする。
【００１０】
「平坦またはエンボス」とは、表面が完全に平らでありまたは僅かに凸あるいは凹であることを意味する。
【００１１】
本発明の特に好ましい実施形態において、容器本体は、少なくとも２つの対向する平坦で略垂直な面と、平坦な略水平の底面を形成する面とを備えている。
【００１２】
好ましい実施形態では、首部が底面と反対側の面上に対称に配置されている。
【００１３】
本発明の更に好ましい実施形態では、首部が容器の垂直軸に対してずれて配置されている。
【００１４】
本発明の好ましい実施形態において、容器本体は、対を成して互いに対向する４つの平坦な略垂直な面を備えている。
【００１５】
また、好ましくは、前記垂直面がディスク状である。
【００１６】
隣り合う平坦な垂直面は、少なくとも１つの点で互いに接触していることが好ましく、および／または、平坦な垂直面は、前記平坦な底面と接触することが好ましい。
【００１７】
好ましい実施形態では、平坦な垂直面と平坦な水平面とが同じ面積を有している。
【００１８】
Ｄ１／Ｄ２の比率が１．２〜１５、好ましくは２〜５であることが有益である。
【００１９】
また、好ましくは、平坦な底面が補強リブおよび／または補強溝を備えている。
【００２０】
内容物製品は、水性製品または乳製品からなるグループから選択することができる。
【００２１】
最後に、本発明に係る容器は、５ｇ以下、好ましくは３ｇ以下の重量と、少なくとも２５ｃｌの全内容量とを有していることが好ましい。
【００２２】
容器の閉塞手段は、首部の上端にシールされる、剥がすことができる膜、あるいは、首部の対応するネジと協働するネジを有するスクリューキャップであってもよい。
【００２３】
本発明の更なる特徴および利点は、図面に関連して以下で述べられる現在好ましい実施形態の説明に記載されており、当該実施形態の説明から明らかとなろう。
【発明を実施するための最良の形態】
【００２４】
図１に示されるように、本発明に係る非常に軽量な容器１は、直径Ｄ１を有する略球状の容器本体２を備えている。
【００２５】
容器は直径Ｄ２を有する首部３を更に備えており、前記首部３は、分与用開口４と、閉塞手段６を分与用開口に対して取り付けることができるようにするための手段５とを備えている。
【００２６】
図２に示されるように、手段５は、首部３の上端部に平坦な水平フランジを備えている。このフランジ５は、剥がすことができる閉塞膜（図示せず）を受けるようになっている。
【００２７】
図１および図２から分かるように、容器本体２の直径Ｄ１は首部３の直径Ｄ２よりも大きい。Ｄ１／Ｄ２の比率は約４である。
【００２８】
容器は半結晶ＰＥＴから形成される。容器本体の壁は、前記容器の少なくとも中間の高さの領域７で、１００μｍ以下の厚さを有している。この容器１は、それ自体が射出成形プロセスによって形成されるＰＥＴ予備成形体をブロー成形することにより形成される。
【００２９】
本発明によれば、また、図１，２に示されるように、略球状の容器本体２は、対を成して互いに対向する４つの対向する平坦なディスク形状の略垂直な面８を更に備えている。容器本体は、首部３の反対側に配置されて底面を形成する平坦な略水平な面９を更に備えている。平坦な底面９は、図１および図３に示されるように、その剛性を高めるために補強溝１０を備えている。
【００３０】
図３，４，５に示されるように、隣り合う垂直平坦面８は、接触ライン１１に沿って互いに接触することが好ましい。前記垂直平坦面は、前記平坦な底面とも接触ライン１２で接触する。垂直平坦面８および水平平坦面９は等しい面積を有している。
【００３１】
内容物製品は、水性製品または乳製品からなるグループから選択することができる。
【００３２】
最後に、本発明に係る容器は、２．９ｇの重量を有するとともに、２５ｃｌの全内容量を有する。
【００３３】
本発明に係る容器の側壁の剛性と卵形状を有する類似の容器とを比較するためにスプラッシュテストが行なわれた。
【００３４】
このテストは、ボトル（満たされているが、閉じられていない）の握持領域に対して横方向の負荷を加え、その後、液体の高さの増大を測定するというものである。測定された全ての容器は同じ内容量を有していた。
【００３５】
２５ｃｌの内容量および同じ横方向負荷において、測定された高さの増大の平均結果は以下の通りであった。
伝統的な卵形ボトルの場合には４８ｍｍ、
本発明に係る容器の場合には３５ｍｍ
【００３６】
これらの結果は、本発明の容器における平坦面が、前記容器を把持する消費者の手によって加えられる圧力などの横方向負荷に対する耐性をどの程度向上させているのかを示している。
【００３７】
また、ＰＥＴウォーター容器が水をそれらの壁に通過させることが分かった。そのような水損失により、通常、容器壁は時間が経過するにつれて柔軟性が高まる。本発明の場合、水損失は従来のＰＥＴ軽量容器の場合と同じ状態のままであるが、平坦面による横方向剛性の補強が柔軟性の増大を補償し、これは、明らかに消費者にとって非常に都合が良いとともに、容器の開放時における跳ね散りの回避に役立つ。
【００３８】
本発明によって得られる利点のうちの１つは、容器本体の少なくとも一側の平坦性に起因して、標準的なラベリング装置における容易なラベルングも可能にするという点である。
【００３９】
本明細書中で説明される現在好ましい実施形態に対する変更および改良が当業者にとって明らかであることは言うまでもない。そのような変更および改良は、本発明の精神および範囲から逸脱することなく且つ付随する利点を減らすことなく行なうことができる。したがって、そのような変更および改良は添付の特許請求の範囲によって保護されるものである。
【図面の簡単な説明】
【００４０】
【図１】本発明に係る容器の斜視下面図である。
【図２】図１に類似する斜視上面図である。
【図３】本発明の容器の下面図である。
【図３】同じ容器の側面図である。
【図５】同じ容器の平面図である。
【図１】
2009512599.tif 000003
【図２】
2009512599.tif 000004
【図３】
2009512599.tif 000005
【図４】
2009512599.tif 000006
【図５】
2009512599.tif 000007
【国際調査報告】
2009512599.tif 000008
2009512599.tif 000009